(57)【要約】    【課題】  両面同時読み構成において、裏面ガラスを清掃する際に圧板を開けると裏面読取部を点灯させ、裏面読取部の位置をユーザに認識させる。    【解決手段】  自動原稿給送装置と、開閉検知手段と、搬送経路を有し、原稿搬送部と、第一画像読み取り部と、第二画像読み取り部と、発光素子を点灯させる点灯制御部を有し、ゴミ検知手段と、表示部と、搬送ガイドを有し、窓を備え、搬送ガイドを開けることで第二画像読み取り部のジャム処理と清掃を行う構成を備えた画像読取装置を得ること。【選択図】    図１
2018107545.tif 000002
【特許請求の範囲】
【請求項１】
原稿を原稿台上に押さえる自動原稿給送装置（１００）と、前記自動原稿給送装置（１００）の開閉動作を検知する開閉検知手段（１３２）と、原稿を搬送する搬送経路を有し、前記搬送経路を介して原稿を読み取り位置に搬送する原稿搬送部と、搬送される原稿の表面の画像を読み取る第一画像読み取り部（１０１）と、前記自動原稿給送装置（１００）を開けた状態ではアクセスできない位置で、上記搬送経路を挟んで対向する側に配置され、上記搬送経路に沿って搬送される上記原稿の裏面の画像を読み取る第二画像読み取り部（１０２）と、前記第二画像読み取り部は発光素子を有し、発光素子（１３４，１３５）を点灯させる点灯制御部（１３９）を有し、前記第二画像読み取り部（１０２）にゴミが付着していることを検知するゴミ検知手段と、ゴミの付着を表示する表示部（１４６）と、前記第二画像読み取り部（１０２）に開口機構として搬送ガイド（１３１）を有し、
搬送ガイド（１３１）には、両面流し読み時の読取に影響のない位置に窓（１４１）を備え、搬送ガイドを開けることで第二画像読み取り部（１０２）のジャム処理と清掃を行う構成を備えた画像読取装置において、
前記検知手段がゴミの付着を検知したとき、前記自動原稿給送装置（１００）が開けられたことを前記開閉検知手段（１３２）で検知すると、前記第二画像読み取り部（１０２）の発光素子（１３４，１３５）を前記点灯制御部（１３９）で点灯させ、前記窓（１４１）から光が漏れることを特徴とする画像読み取り装置。
【請求項２】
搬送ガイド（１３１）には、両面流し読み時の読取に影響のない位置に窓（１４１）があることを特徴とする請求項１に記載の画像読み取り装置。
【請求項３】
前記窓（１４１）は前記第二画像読み取り部（１０２）の発光素子（１３４，１３５）の光を外部に照射する構成にあることを特徴とする請求項１に記載の画像読み取り装置。
【請求項４】
前記窓（１４１）は半透明な拡散板で構成されることを特徴とする請求項１に記載の画像読み取り装置。
【請求項５】
前記開口機構（１３１）を閉じたときに、両面同時読み動作に影響のない空間を空けた構成を特徴とする請求項１または２に記載の画像読み取り装置。
【発明の詳細な説明】
【技術分野】
【０００１】
本発明は、原稿に記録された画像情報を読み取る原稿読み取り装置の技術に関する。
【背景技術】
【０００２】
原稿画像の表面を読み取る第１面読み取り手段と原稿画像の裏面を読み取る第２面読み取り手段を有する自動原稿送り装置において、第２面読み取り部にジャム処理及び清掃用の開口機構を有する。開口機構の搬送ガイド開閉検知手段とこの搬送ガイド開閉検知手段に連動して第２読み取り手段の光源を点灯／消灯させ、点灯するさいは通常の原稿読み取り時よりも光量を低下させることを特徴とする技術が記載されている。
【先行技術文献】
【特許文献】
【０００３】
【特許文献１】特開2006-74608号公報
【発明の概要】
【発明が解決しようとする課題】
【０００４】
上記従来技術において特許文献１では、裏面を読み取る第２読取部にジャム処理及び清掃用の開口機構としての搬送ガイドを有している。この搬送ガイドの搬送ガイド開閉検知手段とこの搬送ガイド開閉検知手段に連動して第２読み取り部の光源を点灯／消灯させる制御手段を有する点にある。第２面読み取り部のメンテナンス時（ジャム処理時を除く）に読み取り部を照射、照明し、ユーザに清掃を促している。
【０００５】
しかし、裏面読み取り部の清掃を行うためには自動原稿給送装置を図３のように上部に開け、さらに搬送ガイドを図４のように下部に開けなければならない。そのため、清掃要求があっても、ユーザは搬送ガイドを開けるまで第２読み取り部の位置を認識することができない。
【０００６】
本発明ではこの課題を解決するため、裏面を読み取る第２読取部にジャム処理及び清掃用の開口機構としての搬送ガイドを有している構成のＡＤＦにおいて、裏面読み取り部の清掃要求がある際は、自動原稿給送装置を図３のように上部に開け開閉検知部が開いたことを検知すると第２読み取り部を点灯させ、開閉可能な搬送ガイドの端部より光が漏れることでユーザが第２読み取り部の位置を認識でき、容易に第２読み取り部の清掃を行うことが可能な画像読み取り装置を提供する。
【課題を解決するための手段】
【０００７】
前記課題を解決するため請求項１記載の発明では、原稿を原稿台上に押さえる自動原稿給送装置（１００）と、前記自動原稿給送装置（１００）の開閉動作を検知する開閉検知手段（１３２）と、原稿を搬送する搬送経路を有し、前記搬送経路を介して原稿を読み取り位置に搬送する原稿搬送部と、搬送される原稿の表面の画像を読み取る第一画像読み取り部（１０１）と、前記自動原稿給送装置（１００）を開けた状態ではアクセスできない位置で、上記搬送経路を挟んで対向する側に配置され、上記搬送経路に沿って搬送される上記原稿の裏面の画像を読み取る第二画像読み取り部（１０２）と、前記第二画像読み取り部は発光素子を有し、発光素子（１３４，１３５）を点灯させる点灯制御部（１３９）を有し、前記第二画像読み取り部（１０２）にゴミが付着していることを検知する検知手段と、ゴミの付着を表示する表示部（１４６）と、前記第二画像読み取り部（１０２）に開口機構として搬送ガイド（１３１）を有し、
搬送ガイド（１３１）を開けることで第二画像読み取り部（１０２）のジャム処理と清掃を行う構成を備えた画像読取装置において、
前記検知手段がゴミの付着を検知したとき、前記自動原稿給送装置（１００）が開けられたことを前記開閉検知手段（１３２）で検知すると、前記第二画像読み取り部（１０２）の発光素子（１３４，１３５）を前記点灯制御部（１３９）で点灯させ、発光素子１３４、１３５からの光を導光体を介し、前記窓（１４１）から光が漏れることを特徴としている。
【発明の効果】
【０００８】
本発明では、裏面を読取る第二画像読み取り部（１０２）は発光素子（１３４，１３５）を有し、第二画像読み取り部（１０２）にはジャム処理用と清掃用の開口機構として搬送ガイド（１３１）を有し、第二画像読み取り部（１０２）の配置位置が原稿を原稿台上に押さえる自動原稿給送装置（１００）を開けた状態ではアクセスできない位置にある構成の時、第二画像読み取り部（１０２）にゴミの付着を検知後、ユーザに清掃を促す通知をしたさいに、自動原稿給送装置（１００）が開けられたことを自動原稿給送装置（１００）の開閉検知手段（１３２）で検知すると、第二画像読み取り部（１０２）の発光素子（１３４，１３５）を点灯させ、発光素子１３４、１３５からの光を導光体を介し搬送ガイド（１３１）に備えた窓（１４１）から図９（c）の矢印ように光が漏れることで、ユーザが容易に第二画像読み取り部（１０２）の位置を認識できることが可能な画像読み取り装置を提供する。
【図面の簡単な説明】
【０００９】
【図１】本発明の実施の形態に係る画像読取装置の構成を示す図。
【図２】本発明の実施の形態に係る開閉検知部の位置を示す図。
【図３】本発明の実施の形態に係る画像読取装置の構成を示す図。
【図４】本発明の実施の形態に係る画像読取装置の構成を示す図。
【図５】本発明の実施の形態に係る窓の位置を示す図。
【図６】上記画像読取装置に設けられた黒スジ判定部の構成を示すブロック図。
【図７】上記画像読取装置の制御ブロック図。
【図８】（ａ）は黒スジがある場合の読み取り原稿のイメージを示す図、（ｂ）は黒画素カウントメモリの２値化データを示す図。
【図９】（ａ）プラテンローラとLEDの位置を示す断面図、（ｂ）プラテンローラとCISの幅を示す図、（c）窓から光が漏れるイメージを示す図。
【図１０】第２流し読みガラス上のゴミの有無によるフローチャート
【発明を実施するための形態】
【００１０】
以下、本発明の実施の形態を詳細に説明する。
【００１１】
［実施例１］
図１は、本発明の実施の形態に係る画像読取装置の構成を示す図である。図１において、１１５は画像読取装置であり、この画像読取装置１１５は、流し読みを行う際、シートである原稿の表面（第１面）の画像を読み取る第１画像読取部１０１と、原稿の裏面（第２面）の画像を読み取る第２画像読取部１０２とを備えている。また、画像読取装置１１５の上面には自動原稿給送装置１００が設けられている。自動原稿給送装置１００は図３のようにリア側支点部１４４・１４５を支点として回動可能な構成で開閉が行える。
【００１２】
自動原稿給送装置１００の開閉状態を検知するリア側支点部１４４・１４５に配置された図２の位置に示す開閉検知部１３２を備えている。また、画像読取装置１１５は、ユーザが動作設定を行うためや、エラー状態などを表示するための表示部１４６を備えている。自動原稿給送装置１００は、原稿トレイ１４０に積載された原稿Ｄを、例えば流し読みの際、第１画像読取部１０１及び第２画像読取部１０２に搬送するものであり、原稿トレイ１４０の上方に設けられ、原稿Ｄを送り出す給紙ローラ１０３を備えている。
【００１３】
ここで、給紙ローラ１０３は、上下方向に回動自在な不図示のアームに軸支されており、通常、アームの上方回動によりホームポジションである上方位置に退避しており、原稿Ｄのセット作業を阻害しないようになっている。また、給紙動作が開始されると、アームの下方回動により給紙ローラ１０３は下降して原稿Ｄの上面に当接するようになっている。
【００１４】
給紙ローラ１０３の下流には、原稿を１枚ずつ分離する分離部を構成する分離搬送ローラ１０４と分離搬送従動ローラ１０５とからなる分離ローラ対１０４，１０５が設けられている。なお、分離搬送従動ローラ１０５は、分離搬送ローラ１０４より僅かに摩擦が少ないゴム材等から形成されており、分離搬送ローラ１０４と協働して給紙ローラ１０３によって給送される原稿Ｄを１枚ずつ捌いて分離する。
【００１５】
さらに、分離ローラ対１０４，１０５の下流には分離ローラ対１０４，１０５により１枚ずつ分離されて搬送された原稿Ｄの先端を揃えるためのレジストローラ対１０６，１０７が設けられている。そして、分離ローラ対１０４，１０５により分離された１枚の原稿Ｄの先端を静止した状態のレジストローラ対１０６，１０７のニップ部に突き当て、原稿Ｄにループを生じさせることにより、原稿Ｄの先端を揃えるようにしている。
【００１６】
ところで、このような自動原稿給送装置１００を備えた画像読取装置１１５は、原稿Ｄを原稿台ガラス１１８上に載置し、第１及び第２ミラー台１２３，１２４を副走査方向（図中矢印方向）に移動させながら原稿を読み取る原稿固定読み取りモードを備えている。また、第１及び第２ミラー台１２３，１２４を停止させた状態で、原稿搬送装置１００によって原稿Ｄを搬送させながら、第１及び第２流し読みガラス１１６，１３０の位置で原稿画像を読み取る流し読みモードを備えている。
【００１７】
次に、画像読取装置１１５の流し読みモードにおける原稿画像読み取り動作について説明する。流し読みモードにより原稿画像読み取る場合には、まずアームを下降させて給紙ローラ１０３を原稿Ｄの上面に当接させた後、分離搬送ローラ１０４と同一駆動源により給紙ローラ１０３を回転し、最上位の原稿を分離ローラ対１０４，１０５に搬送する。ここで、原稿Ｄが複数枚重なって搬送された場合には、分離ローラ対１０４，１０５により、最上位の原稿を他の原稿から分離して搬送する。
【００１８】
１枚に分離された原稿は、レジストローラ対１０６，１０７によって原稿の先端を揃えられた後、リードローラ対１０８，１０９により第１画像読取部１０１に案内され、第１流し読みガラス１１６上を通過する。このとき、原稿Ｄの表面の画像情報を画像読取手段１０１Ａ（のＣＣＤラインセンサ１２６）にて読み取る。
【００１９】
次に、原稿Ｄの表面画像の読み取りが終了すると、リード排出ローラ対１１１，１１２により、原稿Ｄは、第１流し読みガラス１１６から原稿Ｄをすくい上げるためのジャンプ台１１７を経て第２画像読取部１０２側に搬送される。そして、第２流し読みガラス１３０下を通過する際、原稿Ｄの裏面の画像情報をＣＩＳラインセンサ１２８にて読み取る。なお、このようにＣＩＳラインセンサ１２８による原稿Ｄの裏面画像読み取りが終了すると、正転可能な排紙ローラ１１３により原稿Ｄを排紙トレイ１１４に排出する。
【００２０】
第１画像読取部１０１は、原稿が通過する透明な読取板である第１流し読みガラス１１６と、第１流し読みガラス１１６上を通過する原稿の表面に光を照射して原稿画像を読み取る。第１画像読取部１０１は、流し読みの際、第１流し読みガラス１１６上を通過する原稿の表面に対しランプ１１９から光を照射するようにしている。なお、原稿Ｄからの反射光は、ミラー１２０〜１２２を介してレンズ１２５に導かれ、レンズ１２５によってＣＣＤラインセンサ１２６の受光部に結像される。
【００２１】
これにより、原稿画像が読み取られ、このように原稿画像を読み取った後、ＣＣＤラインセンサ１２６は、結像した反射光を受光素子で光電変換し、入射光量に応じた電気信号を後述する図３に示すシェーディング補正部３０１に出力する。なお、第１及び第２ミラー台１２３，１２４は、不図示のワイヤによって不図示の駆動モータと結合され、原稿固定読み取りモードの際、駆動モータの回転駆動によりランプ１１９により原稿Ｄの下面を照射しながら原稿台ガラス１１８と平行に移動する。
【００２２】
１１０は第１流し読みガラス１１６の上方に配置された白色のプラテンローラである。１２７は第２流し読みガラス１３０の下方に配置された白色のプラテンローラである。第２画像読取部１０２は、原稿が通過する透明な読取板である第２流し読みガラス１３０と、第２流し読みガラス１３０の下を通過する原稿の裏面に光を照射して原稿画像を読み取る画像読取手段であるＣＩＳラインセンサ１２８とを備えている。ＣＩＳラインセンサ１２８は原稿照明手段を備えている。原稿照明手段としては、主走査方向に沿って互いに平行に配設された導光体を持つ一対のＬＥＤ光源１３４，１３５とを備える。
【００２３】
このＣＩＳラインセンサ１２８は、光源１３３，１３４からの光を導光体を介し原稿Ｄに光を照射した後、原稿Ｄからの反射光を受光素子で光電変換し、入射光量に応じた電気信号を出力するものである。第２読取部１０２はジャム処理及び清掃用の支点部１４２、１４３を支点として回動可能な開口機構としての搬送ガイド１３１を有している。搬送ガイド１３１は、発生したジャムの処理や、清掃を行うために第２読取部１０２を露出させるための開口機構（開閉ドア等）である。
【００２４】
図３，４は発生したジャムの処理や、清掃を行うために第２読取部１０２を露出させるための方法を示した図である。第２画像読取部１０２を露出させるためには図３の自動原稿給送装置１００を矢印の方向（上）に開け、図４に示す回動可能な構成で搬送ガイド１３１の開閉機構を開けることで第２画像読取部１０２を露出させる。そして、第２画像読取部１０２のジャム処理や清掃が可能となる。
【００２５】
流し読みの際には、第１及び第２画像読取部１０１，１０２の画像読取位置にそれぞれ配置された第１及び第２流し読みガラス１１６，１３０上にゴミが付着してしまう。ゴミが付着していると、図８の（ａ）に示すように読み取った画像に、図中矢印で示す箇所に黒スジが生じる。
【００２６】
なお、このような第１及び第２流し読みガラス１１６，１３０のどちらにゴミが付着していることを検知する検知手段である黒スジ判定部３０２は、ゴミが付着していることを検知すると、図７に示す制御部５０に信号を入力するようにしている。そして、制御部５０は、この黒スジ判定部３０２からの信号に基づき第１画像読取部１０１及び第２画像読取部１０２の画像読取動作及び排紙ローラ１１３の駆動を制御するようにしている。
【００２７】
次に、黒スジ判定部３０２による画像データに基づく黒スジの判定について説明する。まず、ＣＣＤラインセンサ１２６及びＣＩＳラインセンサ１２８により１ラインずつ読み出されたアナログ画像信号は、アナログ処理回路１３３、１３６でオフセット、ゲイン調整が行われた後、Ａ／Ｄコンバータ１３８、１４０でデジタル信号に変換される。そして、デジタル変換された画像データは、図５に示すシェーディング補正部３０１でシェーディング補正される。
【００２８】
シェーディング補正された画像データは、黒スジ判定部３０２に送られ、１ラインずつ２値化回路３０３で２値化される。２値化されたデータは、加算回路３０４で黒画素カウントメモリ３０５の２値化データに加算され、複数ライン分の２値化データが得られる。
【００２９】
図８は第２流し読みガラス１１６，１３０上にゴミがある場合の読み取り原稿のイメージ及び黒画素カウントメモリ３０５の２値化データを示す図である。流し読みガラス１３０上にゴミがあるとき、図８の（ａ）に示すように読み取った画像に、図中矢印で示す箇所に黒スジが発生している。このため、図８の（ｂ）に示すように、黒スジに対応する黒画素カウント値は、他の部分と比較して大きな値となっている。
【００３０】
そこで、黒スジ検知部３０７は、黒画素カウントメモリ３０５の値と予め設定された黒スジ判定しきい値レジスタ３０６の値とを比較し、しきい値を越えた場合、該当部分を黒スジであると判定する。そして、このように黒スジであると判定すると、この判定信号を
図７に示す制御部５０に入力し、これに基づき制御部５０は第２流し読みガラス１３０上にゴミが有ること、即ちゴミが付着していることを検知する。
【００３１】
なお、この検知処理は、白色のプラテンローラ１２７を回転させることで、原稿Ｄの給紙を前に行うことも可能である。この画像の黒スジの判定に基づき、制御部５０は、第１及び第２流し読みガラス１１６，１３０上にゴミが有ること（付着していること）を検知する。このように第１及び第２流し読みガラス１１６，１３０上にゴミが付着していると、流し読みガラス１１６，１３０の清掃を促す警告を表示部１４６に表示させるようにする。搬送ガイド１３１には、両面流し読み時の読取に影響のない位置に窓１４１がある。図５は、自動原稿給送装置１００を閉めた状態の、原稿台ガラス１１８と搬送ガイド１３１と窓１４１の位置関係を示す図である。
【００３２】
また、プラテンローラ１２７とＬＥＤ光源１３４、１３５の関係は図９（a）に示すようにＬＥＤ光源１３４の光軸とＬＥＤ光源１３５の光軸とが、第２流し読みガラス１３０の読取面近傍で互いに交差する位置の下にプラテンローラ１２７が位置している。また、プラテンローラ１２７とＣＩＳラインセンサ１２８の長さは図９（b）に示すようにＣＩＳラインセンサ１２８の方がプラテンローラ１２７より主走査方向に長く、窓１４１から機外にＬＥＤ光源１３４、１３５からの光を導光体を介し矢印のように照射する。
【００３３】
図９（ｃ）は、自動原稿給送装置１００を開けた時の、プラテンローラ１２７の幅より突出した領域により窓１４１から漏れるＬＥＤ光源１３４、１３５からの光を受け、導光体を介した光が漏れることを示した図である。第２流し読みガラス１３０上にゴミが有ることが検知された場合の本特許のフローについて図１０に示すフローチャートを用いて説明する。第２流し読みガラス１３０上にゴミが付着している場合、制御部５０は、白色であるプラテンローラ１２７を回転させることで原稿Ｄを原稿トレイ１４０より搬送する前に、第２流し読みガラス１１６上のゴミを検知する（ステップＳ２０１）。
【００３４】
警告手段５１により第２流し読みガラス１３０の清掃を促す警告を表示部１４６に表示する（ステップＳ２０２）。ユーザによって第２流し読みガラス１３０の清掃を行うためには自動原稿給送装置１００を開ける必要があり、自動原稿給送装置１００の開閉検知部１３２により自動原稿給送装置１００が開かれたことを検知すると(ステップＳ２０３)、第２画像読取部１０２内のLED光源１３４、１３５を点灯させる(ステップＳ２０４)。この後、図９（ｂ）に示すようにLED光源１３４、１３５の光を導光体を介し、窓１４１から光が漏れることでユーザが第２画像読取部１０２の位置を確認し清掃を行う(ステップＳ２０５)。
【００３５】
開閉検知部１３２が閉じたと検知されるまで第２画像読取部１０２内の光源を点灯し続け、開閉検知部１３２により自動原稿給送装置１００が閉じたと検知され (ステップＳ２０６)、第２画像読取部１０２内のLED光源１３４、１３５を消灯する(ステップＳ２０７)。そして、第２画像読取部１０２内の光源の消灯後、ゴミの付着がない時(ステップＳ２０８)は、表示部１４６に表示していた第２流し読みガラス１３０の清掃を促す警告を解除する（ステップ２０９）。その後、原稿表面（第１面）の画像を読み取る第１画像読取部１０１に原稿を給紙する（ステップＳ２１０）。そして、原稿の表面画像を第１画像読取部１０１により、流し読みにより読み取る（ステップＳ２１１）。
【００３６】
次に、原稿を原稿裏面（第２面）の画像を読み取る第２画像読取部１０２へ搬送し、この第２画像読取部１０２により原稿の裏面画像を流し読みにより読み取る（ステップＳ２１２）。そして、このような原稿表裏面の画像読み取りが終了すると、原稿を排出する（ステップＳ２１３）。
【００３７】
このように、第２流し読みガラス１３０上にゴミが付着している場合に自動原稿給送装置１００を開けることで第２画像読取部１０２のLED光源１３４、１３５を点灯し、導光体を介し、窓１４１から光が漏れ搬送ガイド１３１を開けることなくユーザに第２画像読取部の位置を認識することが可能になる。また、窓１４１は半透明な拡散板などで構成されても同様の効果が得られる。
【符号の説明】
【００３８】
５０ 制御部
５１ 警告手段
１００ 自動原稿給送装置
１０１ 第１画像読取部
１０２ 第２画像読取部
１１３ 排紙ローラ
１１５ 画像読取装置
１１６ 第１流し読みガラス
１２６ ＣＣＤラインセンサ
１２７ プラテンローラ
１２８ ＣＩＳラインセンサ
１２９ 原稿反転パス
１３０ 第２流し読みガラス
１３１ 搬送ガイド
１３２  開閉検知部
１４１  窓
１４６  表示部
【図１】
2018107545.tif 000003
【図２】
2018107545.tif 000004
【図３】
2018107545.tif 000005
【図４】
2018107545.tif 000006
【図５】
2018107545.tif 000007
【図６】
2018107545.tif 000008
【図７】
2018107545.tif 000009
【図８】
2018107545.tif 000010
【図９】
2018107545.tif 000011
【図１０】
2018107545.tif 000012